(57)【要約】    【課題】  スポット残りを防止することができるテレビ受像機であって、回路構成やマイコンの制御手順が複雑とならないものを提供することである。    【解決手段】  テレビ受像機１０は、陰極線管５と陰極線管５に高電圧を供給するフライバックトランス３と映像信号を処理するクロマＩＣ２を備えている。  クロマＩＣ２のＡＣＬ入力端子２ａ及びフライバックトランス３のＡＣＬ出力端子３ａを接続する回路とクロマＩＣ２に動作電圧を供給する電源ライン７との間にツエナーダイオードＺＤ１を設ける。    【選択図】図１           
2005064781.tif 000002
【特許請求の範囲】
【請求項１】
映像を表示する陰極線管と、陰極線管に映像を表示させるため映像信号の処理を行いかつ陰極線管の表示の輝度を調整するオートコントラストリミッタ（ＡＣＬ）を備えるクロマＩＣと、陰極線管を動作させるための所定の高電圧を陰極線管に印加するフライバックトランスとを備え、
前記フライバックトランスは陰極線管の表示に伴って流れるビーム電流の強度を表す制御電圧信号をＡＣＬ出力端子より出力し、
前記クロマＩＣのＡＣＬ入力端子は前記フライバックトランスのＡＣＬ出力端子と接続され、
前記クロマＩＣのＡＣＬ入力端子に前記制御電圧信号が入力されることによって前記陰極線管に表示される映像の輝度が調整されるテレビ受像機であって、
前記クロマＩＣを動作させる電圧を供給するための電源ラインと、前記クロマＩＣのＡＣＬ入力端子及び前記フライバックトランスのＡＣＬ出力端子との間にツエナーダイオードが接続され、
前記ツエナーダイオードは、カソードが前記電源ライン側に接続され、アノード側が前記クロマＩＣのＡＣＬ入力端子側に接続されており、
当該テレビ受像機の電源がオフされると、前記ツエナーダイオードはカソードからアノードの方向に導通し、前記電源ラインの電圧が前記クロマＩＣのＡＣＬ入力端子側に印加されるようにされたテレビ受像機。
【発明の詳細な説明】
【技術分野】
【０００１】
本発明は、陰極線管を備えるテレビ受像機に関する。
【背景技術】
【０００２】
テレビ受像機は、映像を表示するための陰極線管や、映像信号を処理するためのクロマＩＣ、陰極線管を動作させる電圧を出力するフライバックトランスを備えている。そして、フライバックトランスにより所定の高電圧を陰極線管に印加しつつ、クロマＩＣにより処理された映像信号（色信号）を陰極線管に入力することにより、陰極線管には映像信号に基づく映像が表示される。
【０００３】
ところで、テレビ受像機の電源をオフして動作を停止させようとすると、いわゆるスポット残りと呼ばれる稲妻状の発光が陰極線管の画面に現れることがある。
【０００４】
即ち、陰極線管には高電圧が印加されていたため、残存する電荷等の影響により、電源オフした後に画面の発光を生ずることがある。このような、電源オフした後の画面の発光は、見た目に悪く視聴者に不快な印象を与える。従って、従来のテレビ受像機には、このスポット残りを防止するための手段を設けたものがある（例えば、特許文献１、２参照）。
【特許文献１】実開平４−２１６９号公報
【特許文献２】実用新案登録３０８８３２１号公報
【発明の開示】
【発明が解決しようとする課題】
【０００５】
ここで、実開平４−２１６９号に開示されるテレビ受像機にあっては、スポット残りを防止するための回路が多くの回路素子によって構成されており、複雑な構成となっていた。
【０００６】
また、実用新案登録第３０８８３２１号公報に開示されるテレビ受像機にあっては、マイコンがスポット残りを防止する処理を行うようにされており、マイコンが複雑な制御を行うようになっていた。
【０００７】
そこで、本発明は、回路構成やマイコンの制御手順を複雑にすることなく、スポット残りを防止することができるテレビ受像機を提供することを目的とする。
【課題を解決するための手段】
【０００８】
上記課題を解決するため、本発明は、映像を表示する陰極線管と、陰極線管に映像を表示させるため映像信号の処理を行い、かつ陰極線管の表示の輝度を調整するオートコントラストリミッタ（ＡＣＬ）を備えるクロマＩＣと、陰極線管を動作させるための所定の高電圧を陰極線管に印加するフライバックトランスとを備え、
前記フライバックトランスは陰極線管の表示に伴って流れるビーム電流の強度を表す制御電圧信号をＡＣＬ出力端子より出力し、
前記クロマＩＣのＡＣＬ入力端子は前記フライバックトランスのＡＣＬ出力端子と接続され、
前記クロマＩＣのＡＣＬ入力端子に前記制御電圧信号が入力されることによって前記陰極線管に表示される映像の輝度が調節されるテレビ受像機であって、
前記クロマＩＣを動作させる電圧を供給するための電源ラインと、前記クロマＩＣのＡＣＬ入力端子及び前記フライバックトランスのＡＣＬ出力端子との間にツエナーダイオードが接続され、
前記ツエナーダイオードは、カソードが前記電源ライン側に接続され、アノード側が前記クロマＩＣのＡＣＬ入力端子側に接続されており、
当該テレビ受像機が電源オフされると、前記ツエナーダイオードはカソードからアノードの方向に導通し、前記電源ラインの電圧が前記クロマＩＣのＡＣＬ入力端子側に印加されるようにされたテレビ受像機である。
【０００９】
本発明のテレビ受像機によると、テレビ受像機が電源オフされると、ツエナーダイオードのアノード側の電位の下降を生ずる。これにより、ツエナーダイオードのカソードとアノード間に逆方向に印加される電位が上昇し、ツエナーダイオードが逆方向に導通する。
【００１０】
そして、ツエナーダイオードが逆方向に導通すると、電源ラインの電圧に基づく電圧がツエナーダイオードのアノード側に印加され、さらにクロマＩＣのＡＣＬ入力端子に印加される。これにより、クロマＩＣのＡＣＬ入力端子に印加される電圧の下降が止まる。
【００１１】
これにより、陰極線管の表示に伴うビーム電流をクロマＩＣのＡＣＬによって調整するにあたり、前記ビーム電流の低下を防ぐことができる。これにより、電源オフした後に陰極線管に残存する電荷を速やかに放電させることができる。
【００１２】
これにより、本発明のテレビ受像機によると、ツエナーダイオードを主な回路要素とする簡潔な回路によってスポット残りを防止することができる。これにより、本発明のテレビ受像機によると、回路構成やマイコンの制御手順を複雑にすることなく、スポット残りを防止することができる。
【発明の効果】
【００１３】
本発明は、以上説明したような形態で実施され、以下に記載されるような効果を奏する。
本発明のテレビ受像機によると、簡潔な回路によってスポット残りを防止することができる。これにより、制御用マイコンに複雑な制御手順を実行させたり複雑な回路を設けることなく、スポット残りを防止することができる。
【発明を実施するための最良の形態】
【００１４】
以下、本発明の実施の形態について、図１、図２に基づいて説明する。図１は、本発明の一実施形態であるテレビ受像機１０を示す図である。図１には、テレビ受像機１０の回路の一部が示されている。テレビ受像機１０は、クロマＩＣ２とフライバックトランス３と陰極線管５とスポット残り防止回路１を備えている。
【００１５】
クロマＩＣ２は、陰極線管５に入力するための色信号（Ｒ、Ｇ、Ｂ）からなる映像信号を形成する処理を行う。このクロマＩＣ２は、コンポジット映像信号から搬送色信号を取り出し、所定の色復調処理によって元の色信号を生成する処理を行う。
【００１６】
クロマＩＣ２には、図１に特に図示されない映像信号の信号源より映像信号が入力される。この映像信号の信号源として、受信する放送チャンネルを選択して受信するためのチューナがある。また、その他の映像信号の信号源として、映像が記録された記録媒体を再生する再生手段がある。
【００１７】
そして、クロマＩＣ２は、図示されない映像信号出力端子より、処理した映像信号を出力する。クロマＩＣ２より出力された映像信号（色信号）は、図示されない信号伝達経路を通って陰極線管５に入力される。
【００１８】
また、クロマＩＣ２は、オートコントラストリミッタ（ＡＣＬ）を備えている。このＡＣＬは、映像信号のコントラスト（輝度）を調整するための回路である。クロマＩＣ２は、このＡＣＬにより、入力された映像信号のコントラストを調整する処理を行う。
【００１９】
クロマＩＣ２のＡＣＬは、ＡＣＬ入力端子２ａに入力された制御電圧信号に基づいて、映像信号の明るさを調整する処理を行う。この制御電圧信号は、後に説明するフライバックトランス３のＡＣＬ出力端子３ａより出力される。
【００２０】
この制御電圧信号は、陰極線管５の画面の表示に伴って陰極線管５に入力されるビーム電流の強度に対応して電圧値が変化する信号となっている。これにより、クロマＩＣ２のＡＣＬは、入力された制御電圧信号の電圧値に基づいて、陰極線管５に表示されている映像の輝度を検出する。
【００２１】
そして、クロマＩＣ２のＡＣＬは、陰極線管５に出力されている映像の輝度が高いことを検出すると、映像信号のコントラストを低下させる処理を行う。一方、クロマＩＣ２のＡＣＬは、陰極線管５に出力されている映像の輝度が低いことを検出すると、映像信号のコントラストを低下させる処理を行わない。
【００２２】
また、クロマＩＣ２は、クロマＩＣ用電源ライン７より動作電圧を印加される。クロマＩＣ用電源ライン７は、テレビ受像機１０内の電源回路に接続されており、クロマＩＣ２を動作させる所定の正電位の電圧Ｖｃｃが供給される。
【００２３】
また、クロマＩＣ２のＡＣＬ入力端子２ａは、抵抗Ｒ２を介してクロマＩＣ電源ライン７に接続されている。また、クロマＩＣ２のＡＣＬ入力端子２ａは、抵抗Ｒ３を介して接地に接続されている。
【００２４】
また、クロマＩＣ２のＡＣＬ入力端子２ａは、抵抗Ｒ４の一方の端子と接続されている。抵抗Ｒ４の他方の端子は、後に説明するスポット残り防止回路１のクロマＩＣ側接続端１Ｅに接続されている。そして、抵抗Ｒ４の他方の端子は、後に説明するダイオードＤ１のアノード側に接続されている。
【００２５】
また、抵抗Ｒ４の他方の端子と接地との間には、コンデンサＣ１が接続されている。コンデンサＣ１は、クロマＩＣ２のＡＣＬ入力端子２ａに入力される制御電圧信号を安定させるため設けられている。
【００２６】
フライバックトランス３は、陰極線管５を動作させるための所定の高電圧を陰極線管５に出力する。フライバックトランス３は、陰極線管５の図示されないアノード及びカソード間に所定の高電圧を印加する。フライバックトランス３は、陰極線管５のアノード側が相対的に正電圧となり、陰極線管５のカソード側が相対的に負電圧となるように陰極線管５に高電圧を出力する。
【００２７】
このフライバックトランス３は、陰極線管５の表示に伴って流れるビーム電流の強度を検出する。
【００２８】
そして、フライバックトランス３は、検出したビーム電流に応じた制御電圧信号をＡＣＬ出力端子３ａより出力する。フライバックトランス３のＡＣＬ出力端子３ａより出力された制御電圧信号は、クロマＩＣ２のＡＣＬ入力端子２ａに入力される。
【００２９】
また、フライバックトランス３のＡＣＬ出力端子３ａは、ダイオードＤ１のカソード側に接続されている。そして、フライバックトランス３のＡＣＬ出力端子３ａは、ダイオードＤ１及び抵抗Ｒ４を介してクロマＩＣ２のＡＣＬ入力端子２ａに接続されている。
【００３０】
ダイオードＤ１は、フライバックトランス３からクロマＩＣ２に向かう方向が逆方向になるように接続されている。ダイオードＤ１とフライバックトランス３のＡＣＬ出力端子３ａとの間には図示されない回路ユニットが設けられている。そして、この回路ユニットから出力された電流のクロマＩＣ２への印加は、ダイオードＤ１によって防がれる。
【００３１】
陰極線管５は、クロマＩＣ２より入力された映像信号（色信号（Ｒ、Ｇ、Ｂ））に基づき映像を表示する。陰極線管５では、フライバックトランス３より出力された高電圧によって電子ビームが加速され、入力された映像信号に基づいて電子ビームが水平方向及び垂直方向に走査され、画面に映像が表示される。
【００３２】
陰極線管５には、陰極線管接地用ライン６が接続されている。陰極線管接地用ライン６は、陰極線管５に接地電位のレベルを与える。陰極線管接地用ライン６は、共通接地線８に接続されている。共通接地線８は、テレビ受像機１０全体に共通して用いられる共通の接地線の一部である。
【００３３】
そして、テレビ受像機１０が電源オフされ陰極線管５に残存していた電荷が放電されると、この電荷の放電に伴う電流は陰極線管接地用ライン６を通って共通接地線８に導かれる。
【００３４】
また、テレビ受像機１０には、スポット残り防止回路１が設けられている。スポット残り防止回路１は、電源ライン側端部１Ｆを一方の端部とし、クロマＩＣ側端部１Ｅを他方の端部としている。電源ライン側端部１Ｆは電源ライン７に接続されている。クロマＩＣ側端部１Ｅは、抵抗Ｒ４の他方の端子、ダイオードＤ１のアノード及びコンデンサＣ１に接続されている。スポット残り防止回路１には、ツエナーダイオードＺＤ１及び抵抗Ｒ１が直列に接続されている。
【００３５】
ツエナーダイオードＺＤ１は、アノード側が１Ｅ側となり、カソード側が１Ｆ側となるように接続されている。ツエナーダイオードＺＤ１のカソードは、抵抗Ｒ１を介して電源ライン７に接続される。ツエナーダイオードＺＤ１のアノードは、抵抗Ｒ４の他方の端子及びダイオードＤ１のアノード及びコンデンサＣ１に接続されている。
【００３６】
ツエナーダイオードＺＤ１は、アノードに対するカソードの電圧がその逆方向の耐圧ＶＺＤ１以上の電圧となると、カソードからアノードの方向（逆方向）に導通状態（オン）となる。
【００３７】
そして、ツエナーダイオードＺＤ１が逆方向に導通状態となると、スポット残り防止回路１の一方の端部１Ｆから他方の端部１Ｅに向かって電気的に導通可能な状態となる。これにより、スポット残り防止回路１の他方の端部１Ｅには、電源ライン７より一定の電圧が出力される。
【００３８】
このツエナーダイオードＺＤ１は、以下の事情に基づいて選択される。テレビ受像機１０が電源オフされると、前記電荷の放電に伴い、陰極線管５より陰極線管接地用ライン６を通って共通接地線８を通り、Ｒ３、Ｒ４及びダイオードＤ１を通ってフライバックトランス３を通り、陰極線管５に向かって導通する電流Ｉ３が後に説明するように形成される。
【００３９】
そして、この電流Ｉ３が導通すると、スポット残り防止回路１の他方の端部１Ｅの電圧の低下を生ずる。これにより、スポット残り防止回路１の一方の端部１Ｆと他方の端部１Ｅとの間の電位差の増大を生ずる。
【００４０】
即ち、スポット残り防止回路１の一方の端部１Ｆは電源ライン７により一定の電位が印加されており、スポット残り防止回路１の他方の端部１Ｅの電位が低下するからである。
【００４１】
そして、ツエナーダイオードＺＤ１は、テレビ受像機１０の電源オフした際の回路１の他方の端部１Ｅの電位が低下すると、ツエナーダイオードＺＤ１の逆方向に導通状態となるものが選択される。
【００４２】
また、ツエナーダイオードを選択するにあたり、以下のように選択することができる。例えば電源ライン７の電圧が８Ｖ（ボルト）である場合、ツエナーダイオードＺＤ１は、逆耐圧がＶＺＤ１＝１２Ｖのものを用いることができる。
【００４３】
一般に、フライバックトランス３のＡＣＬ出力端子３ａより出力される制御電圧信号は、一般の放送による映像信号に対しては、−４Ｖ未満となることはない。しかし、電源オフ時に陰極線管５に蓄えられた電荷の放電に伴って前記電流Ｉ３が導通すると、スポット残り防止回路１の他方の端部１Ｅの電圧は−４Ｖ未満となり得る。これにより、ツエナーダイオードＺＤ１に逆方向に印加される電位差が逆耐圧を越え、ツエナーダイオードＺＤ１は逆方向に導通する。
【００４４】
なお、以上に説明したテレビ受像機１０には、図１に図示されない電源スイッチが設けられている。この電源スイッチがオンされることにより、テレビ受像機１０は電力を供給され動作する。
【００４５】
テレビ受像機１０には、電源スイッチとして電源ボタンと電源キーが設けられている。電源ボタンは、テレビ受像機１０の本体に設けられている。電源ボタンは、このテレビ受像機１０を使用するユーザの操作によってオン、オフされる。
【００４６】
電源キーは、このテレビ受像機１０を操作するための操作用リモコンに設けられており、操作キーの一部として設けられている。そして、電源キーは、ユーザによる操作によってオン、オフされる。
【００４７】
なお、テレビ受像機１０は、電源ボタンがオンされると電源オンされ動作を開始する。そして、テレビ受像機１０は、電源ボタンがオンされた状態で、電源キーをオフされると、電源オフされる。そして、テレビ受像機１０は、電源ボタンがオンされた状態で、再度電源キーがオンされると、再度電源オンされる。
【００４８】
また、テレビ受像機１０は、電源ボタンがオフされると、電源オフされる。そして、テレビ受像機１０は、電源ボタンがオフされた状態では、電源キーをオンしても、電源オンされることができない。
【００４９】
また、以上に説明したテレビ受像機１０は、図示されない制御用マイクロコンピュータ（以下、「制御用マイコン」と略す）を備えており、この制御用マイコンによって動作が制御される。
【００５０】
そして、操作用リモコンに対するユーザの操作は制御用マイコンが検出するようになっており、ユーザの操作に従ってテレビ受像機１０の動作が制御される。また、テレビ受像機１０を電源オンし又は電源オフする操作がされると、制御用マイコンはこの電源オン又は電源オフを検出する。
【００５１】
なお、テレビ受像機１０がユーザの操作によって電源オフされても、クロマＩＣ用電源ライン７には電力が供給されており、クロマＩＣ用電源ライン７はクロマＩＣ２を動作させる所定の電圧を維持している。
【００５２】
クロマＩＣ用電源ライン７は、テレビ受像機１０を商用電源（例えば、ＡＣ１００Ｖの交流電源）により給電するための電源用コンセントが商用電源より取り外されると、電圧の供給を停止する。
【００５３】
以上に説明したテレビ受像機１０の動作の例について、図２も参酌しつつ説明する。図２は、テレビ受像機１０を電源オフした直後に導通する電流のループを示す図である。
【００５４】
テレビ受像機１０を電源オンして動作させ、陰極線管５の画面に映像を表示させる。そして、ユーザが操作用リモコンを操作することにより、テレビ受像機１０を電源オフする。テレビ受像機１０が電源オフされた後に導通する電流について、図２に基づいて説明する。
【００５５】
テレビ受像機１０を電源オフすると、映像の形成に伴って陰極線管５に残存していた電荷の放電を生ずる。そして、陰極線管５に残存していた電荷の放電により、陰極線管５から陰極線管接地用ライン６を通って接地に流入する電流Ｉ４が導通する。
【００５６】
そして、この電流Ｉ４の導通に伴って電流Ｉ３が導通する。電流Ｉ３は、図２に示されるように、陰極線管５から陰極線管接地用ライン６を通って接地線８を通り、Ｒ３、Ｒ４及びダイオードＤ１を通ってフライバックトランス３を通り、陰極線管５に戻るループに沿って導通する。
【００５７】
そして、この電流Ｉ３が導通すると、クロマＩＣ２のＡＣＬ入力端子２ａに入力される電位が下降する。これにより、クロマＩＣ２は、陰極線管５の画面の表示の輝度が上昇したと判断し、陰極線管５の表示の輝度を低下させる制御を行う。即ち、クロマＩＣ２は、陰極線管５の表示の輝度を低下させるべく、陰極線管５のカソードを導通するビーム電流の強度を減少させるように制御する。
【００５８】
一方、電流Ｉ３の導通により、スポット残り防止回路１の他方の端部１Ｅの電位の低下も生ずる。これにより、ツエナーダイオードＺＤ１がカソード側からアノード側に導通可能（オン）となる。
【００５９】
これにより、スポット残り防止回路１の他方の端部１Ｅには電源ライン７より所定の電圧値の電圧Ｖ２が印加される。これにより、クロマＩＣ２のＡＣＬ入力端子２ａに入力される電位の下降が止まる。
【００６０】
これにより、陰極線管５のカソードに入力するビーム電流をクロマＩＣ２が調整するにあたり、このビーム電流が減少することを防ぐことができる。これにより、電源オフされた後に陰極線管５に残存する電荷を速やかに放電させることができる。
【００６１】
なお、以上の図２において、Ｖ１は電源ライン７よりクロマＩＣ２のＡＣＬ入力端子２ａに印加される電圧を示している。
【００６２】
以上に説明したテレビ受像機１０によると、電源オフされた後の電流Ｉ３によりクロマＩＣ２のＡＣＬ入力端子２ａに入力される電位の下降を一時的に生じても、電源ライン７よりクロマＩＣ２のＡＣＬ入力端子２ａに一定の電位を供給することができる。
【００６３】
即ち、前記電流Ｉ３によりスポット残り防止回路１の他方の端子１Ｅの電位が下降し、ツエナーダイオードＺＤ１が逆方向に導通する。これにより、スポット残り防止回路１を介して電源ライン７よりクロマＩＣ２のＡＣＬ入力端子２ａに一定の電位が供給される。
【００６４】
これにより、クロマＩＣ２が陰極線管５の表示の輝度が低下しないように制御するので、陰極線管５に残存する電荷を速やかに放電させることができる。
【００６５】
そして、以上のテレビ受像機１０によると、ツエナーダイオードＺＤ１を主な回路要素とするスポット残り防止回路１により、スポット残りを防止することができる。
【００６６】
これにより、以上のテレビ受像機１０によると、制御用マイコンに複雑な制御手順を実行させたり複雑な回路を設けることなく、スポット残りを防止することができる。
【図面の簡単な説明】
【００６７】
【図１】本発明の一実施形態であるテレビ受像機の回路図である。
【図２】図１に示されるテレビ受像機の電源オフした直後の動作を示す図である。
【符号の説明】
【００６８】
１    スポット残り防止回路
２    クロマＩＣ
２ａ  ＡＣＬ入力端子
３    フライバックトランス
３ａ  ＡＣＬ出力端子
５    陰極線管
６    陰極線管接地用ライン
７    クロマＩＣ電源ライン
８    共通接地線
１０    テレビ受像機
【図１】
2005064781.tif 000003
【図２】
2005064781.tif 000004